(57)【要約】【課題】  クリーニング時に施されるアイロン掛等の外圧により変形したり、ズレを起して傾いたり、模様の向きが不正な好ましくない方向になってしまったりしないように工夫した新規の衣服用釦を提供することを目的とする。【解決手段】  釦主部と、当該釦主部の裏面にヘコミ可能状態もしくは折り畳み可能状態にして連結された取付脚部材と、当該取付脚部材の先端部に設けられた加圧部と、当該取付脚部材を所定の取付個所に立ち状態に止着する留め体とにより構成され、上記取付脚部材の先端面、留め体の裏側面のうちの一方にはピン状カシメ部が設けられ、同じく他方には上記ピン状カシメ部のカシメ用孔部が設けられ、取付脚部材は釦主部の裏面に孔を設けて滑動可能に挿入すると共にその内端を鍔状に拡げて抜けなくすることにより連結され、また上記孔は角型にされ且つ取付脚部材の外形は角型にされたことを特徴とする。【選択図】図１
2006346012.tif 000002
【特許請求の範囲】
【請求項１】
釦主部と、当該釦主部の裏面にヘコミ可能状態もしくは折り畳み可能状態にして連結された取付脚部材と、当該取付脚部材の先端部に設けられた加圧部と、当該取付脚部材を所定の取付個所に立ち状態に止着する留め体とにより構成され、上記取付脚部材の先端面、留め体の裏側面のうちの一方にはピン状カシメ部が設けられ、同じく他方には上記ピン状カシメ部のカシメ用孔部が設けられて成ることを特徴とする衣服用釦。
【請求項２】
取付脚部材は、上記釦主部の裏面に孔を設けて滑動可能に挿入すると共にその内端を拡げ若しくは倒して抜けなくすることにより連結されたことを特徴とする請求項１記載の衣服用釦。
【請求項３】
上記釦主部の裏面に浮かし用柱部を形成してその先端面に上記孔を設けたことを特徴とする請求項２記載の衣服用釦。
【請求項４】
上記孔が角型にされ且つ取付脚部材の外形が角型にされたことを特徴とする請求項２又は３記載の衣服用釦。
【請求項５】
上記ピン状カシメ部は、先端に円錐形部を有し基端に鍔状取付部を有する金属製の中空細管により構成され、このピン状カシメ部の上記取付脚部材に対する取付部は、当該取付脚部材の先端縁を鍔状に拡げて皿状の加圧部を形成し、この加圧部の底部に座板を収容すると共に同加圧部内に上記鍔状取付部を嵌め合わせてから当該加圧部の開口縁を内側に倒すことにより構成されたことを特徴とする請求項１〜４のうちの一つの請求項記載の衣服用釦。
【請求項６】
上記留め体は、中央にカシメ用孔部を有する内側金属片と、当該内側金属片の外側に被着された外側金属片とを重ねると共に当該外側金属片の外周縁により内側金属片をカシメ止めることにより構成され、カシメ用孔部の内側には上記内側金属片と外側金属片とにより囲まれた、上記円錐形部が潰れて拡がるための中空室が設けられたことを特徴とする請求項１〜５のうちの一つの請求項記載の衣服用釦。
【発明の詳細な説明】
【技術分野】
【０００１】
本発明は、衣服の取付個所に立ち状態に止着するための取付用起立脚を釦主部の裏面に備えた首振りタイプの衣服用釦に関する。
【背景技術】
【０００２】
従来、この種の首振りタイプの衣服用釦として、釦主部１の裏面に一体に設けられたリング型の縫付脚２を縫糸３を以って縫い止めることにより取付個所４に取り付けるようにされた形式の衣服用釦５（図７参照、以下第１従来例という）や、釦主部の裏面に突設された起立脚部内に刺付け止め用中軸部材を設けてこれに突刺しピンを抜去不能に刺し止めることにより取付個所に取り付ける形式の衣服用釦（特許文献２参照、以下第２従来例という）は知られている。
【０００３】
しかしながら、上記第１従来例に係る衣服用釦５には、縫付脚２がクリーニングの際に施されるアイロン掛等の外圧により曲がったままになるなどの変形を起したり、縫い止め糸が緩んで縫い止めたリング状の縫付脚２が縫糸３の輪の中でズレを起して傾いたり、模様の向きが不正な好ましくない方向になってしまったりするという不体裁な状態になり易い欠陥があった。
【０００４】
また、上記第２従来例に係る衣服用釦には、構成が複雑でコストが割高になって好ましくないという欠陥があるのみならず衣服等に取り付ける場合、中軸部材すなわち釦主体の正面に対して突刺しピンに向かう方向への外圧（作業圧）を加えて中軸部材と突刺しピンとを刺し止め状態にする必要があったために、ダイヤ等高級飾やガラス飾などの亀裂等キズを嫌う飾り部を釦主体の正面にもつ類の釦では、衣服への取付の段階（上記加圧の段階）でキズをつけ易いことから、実施・提供されていないという問題があった。
【０００５】
そこで、本発明者は、上記諸欠陥および問題を少なからず解消できるよう工夫開発しているうちに、衣服における取付個所に対する起立脚を取り付ける手段を、釦主体の正面には加圧しないカシメ止め構造にすることが結果的に極めて有効であることを見出し、その後も、釦の製造業者の多くが従前所有している充実したカシメ止め装置をそのまま利用するようにすれば、設備投資費用等を含めたトータル的コストも顕著に低減化ができるという好条件を考慮に入れつつ鋭意研究を重ね、本案を提供するに至ったものである。
【特許文献１】実公平６−４１４４３号公報
【発明の開示】
【発明が解決しようとする課題】
【０００６】
本発明は、起立脚の取付個所に対する取付方法として、釦主体の正面には加圧しないカシメ止め構造を利用するようにした新規の衣服用釦を提供することを目的とし、この目的達成により上記の諸欠陥および問題点を解消するものである。
【課題を解決するための手段】
【０００７】
上記目的を達成するために、請求項１に係る衣服用釦にあっては、  釦主部と、当該釦主部の裏面にヘコミ可能状態もしくは折り畳み可能状態にして連結された取付脚部材と、当該取付脚部材の先端部に設けられた加圧部と、当該取付脚部材を所定の取付個所に立ち状態に止着する留め体とにより構成され、上記取付脚部材の先端面、留め体の裏側面のうちの一方にはピン状カシメ部が設けられ、同じく他方には上記ピン状カシメ部のカシメ用孔部が設けられて成ることを特徴とする。
【０００８】
すなわち、上記のように構成された衣服用釦は、これを衣服における所定の取付個所に取り付けるには、先ずたとえば、ピン状カシメ部を所定の取付個所に突き刺して円錐形部を反対側に貫出させ（図４参照）、そして、当該貫出状態の円錐形部と上記留め体に設けたカシメ用孔部とを嵌め合わせた状態にすると共にこの嵌め合わせ状態において、上記留め体（具体的には後述する外側金属片の外面）とピン状カシメ部（具体的には後述する皿状の加圧部の外面）とに互いに接近する方向への外圧（作業圧）を加えてカシメ用脚部の先端部（具体的には後述する円錐形部）をカシメ用孔部の内側（具体的には後述する中空室内）で潰し拡げ（図１、図５参照）、よって当該潰し拡げ部分がカシメ用孔部の切縁部に引っ掛かり止まってピン状カシメ部を抜けない状態にすればよく、衣服に対する取付の簡単化及び容易化を可能にする。しかも、取付脚部材が釦主部の裏面に対してヘコミ可能状態もしくは折り畳み可能状態にして連結された構成であるので、クリーニングの際に施されるアイロン掛等の外圧を受けた場合には、取付脚部材が釦主部内に没した状態を確保でき、曲がるなどの変形を起したり、縫い止めが緩んで縫い止めたリング状の縫付脚がズレを起して傾いたり、模様の向きが不正な好ましくない方向になってしまったり、するというような不体裁な状態になる事態の回避を可能にする。
【０００９】
請求項２に係る衣服用釦にあっては、請求項１項記載の衣服用釦に関し、取付脚部材は、上記釦主部の裏面に孔を設けて滑動可能に挿入すると共にその内端を鍔状に拡げて抜けなくすることにより連結されたことを特徴とする。
【００１０】
したがって、上記取付脚部材の釦主部に対するヘコミ可能状態もしくは折り畳み可能状態、すなわち取付脚部材が釦主部内に没した状態の確保を可能にする。
【００１１】
請求項３に係る衣服用釦にあっては、請求項２項記載の衣服用釦に関し、上記釦主部の裏面に浮かし用柱部を形成してその先端面に上記孔を設けたことを特徴とする。
【００１２】
したがって、上記取付脚部材の釦主部に対する折り畳み可能状態は、体裁よくでき、より高級感を備えた製品の提供を可能にする。
【００１３】
請求項４に係る衣服用釦にあっては、請求項２又は３項記載の衣服用釦に関し、上記孔が角型にされ且つ取付脚部材の外形が角型にされたことを特徴とする。
【００１４】
したがって、上記取付脚部材が釦主部内に没した状態を繰り返し行われても、模様の向きが不正な好ましくない方向になってしまう不体裁な状態を惹起することがなく、体裁を恒常的に保つことを可能にする。
【００１５】
請求項５に係る衣服用釦にあっては、請求項１〜４のうちの一つの請求項記載の衣服用釦に関し、上記ピン状カシメ部は、先端に円錐形部を有し基端に鍔状取付部を有する金属製の中空細管により構成され、このピン状カシメ部の上記取付脚部材に対する取付部は、当該取付脚部材の先端縁を鍔状に拡げて皿状の加圧部を形成し、この加圧部の底部に座板を収容すると共に同加圧部内に上記鍔状取付部を嵌め合わせてから当該加圧部の開口縁を内側に倒すことにより構成されたことを特徴とする。
【００１６】
したがって、請求項５に係る衣服用釦は、上記ピン状カシメ部の構成の容易化を可能にし、低コスト化を可能にする。しかも、上記中空細管の円錐形部は、当て板に当って潰れ拡がるようにしてあるので、結果として中空細管を短くすることが可能になる。
【００１７】
また、同請求項５に係る衣服用釦は、これを衣服等に取り付ける場合には、上記留め体の外面と上記ピン状カシメ部における加圧部の外面に留め体に向かう方向の外圧（作業圧）を加えてカシメ用脚部の先端部の円錐形部をカシメ用孔部の内側で潰し拡げ、よって当該潰し拡げ部分がカシメ用孔部の切縁部に引っ掛かり止まってピン状カシメ部を抜けない状態にすればよく、衣服に対する取付の簡単化及び容易化を可能にする。したがって、上記キズを嫌う飾り部をもつ釦を衣服に取り付ける場合には、取付の段階（上記加圧の段階）でキズをつけず行うことを可能にする。
【００１８】
請求項６に係る衣服用釦にあっては、請求項１〜５のうちの一つの請求項記載の衣服用釦に関し、上記留め体は、中央にカシメ用孔部を有する内側金属片と、当該内側金属片の外側に被着された外側金属片とを重ねると共に当該外側金属片の外周縁により内側金属片の縁をカシメ止めることにより構成され、カシメ用孔部の内側には上記内側金属片と外側金属片とにより囲まれた、上記円錐形部が潰れて拡がるための中空室が設けられたことを特徴とする。
【００１９】
したがって、請求項６に係る衣服用釦は、上記留め体の構成の容易化を可能にし、低コスト化を可能にすると共に上記キズを嫌う飾り部をもつ釦の衣服に対する取付の場合には、取付の段階（上記加圧の段階）で飾り部にキズをつけず行うことを可能にする。
【発明の効果】
【００２０】
請求項１に係る衣服用釦によれば、これを衣服の所定取付個所に取り付ける場合には上記のようにすればよく、衣服に対する取付が簡単且つ容易にできる。しかも、取付脚部材が釦主部の裏面に対してヘコミ可能状態もしくは折り畳み可能状態にして連結された構成であるので、クリーニングの際に施されるアイロン掛等の外圧を受けた場合には、取付脚部材が釦主部内に没した状態を確保でき、曲がるなどの変形を起したり、縫い止めが緩んで縫い止めたリング状の縫付脚がズレを起して傾いたり、模様の向きが不正な好ましくない方向になってしまったりするというような不体裁な状態になる事態を回避できる。しかもキズを嫌う飾り部をもつ釦を衣服の所定の個所に取り付ける場合には、当該取付の段階で飾り部にキズをつけずに行いうるようにすることができる。したがって、ダイヤ等高級飾やガラス飾などの亀裂等キズを嫌う飾り部を釦主体の正面にもつ類の釦を効率よく且つ確実に提供できる。
【００２１】
請求項２に係る衣服用釦によれば、取付脚部材は、上記釦主部の裏面に孔を設けて滑動可能に挿入すると共にその内端を鍔状に拡げて抜けなくすることにより釦主部に連結するようにされたので、上記取付脚部材の釦主部に対するヘコミ可能状態もしくは折り畳み可能状態、すなわち取付脚部材が釦主部内に没した状態を極めて容易に確保できる。
【００２２】
請求項３に係る衣服用釦によれば、上記釦主部の裏面に浮かし用柱部を形成してその先端面に上記孔を設けたので、上記取付脚部材の釦主部に対する折り畳み可能状態は、体裁よくでき、より高級感を備えた製品を提供できる。
【００２３】
請求項４に係る衣服用釦によれば、上記孔が角型にされ且つ取付脚部材の外形が角型にされたので、上記取付脚部材が釦主部内に出没する状態を繰り返し行われても、釦主部の表面に設けられた模様の向きが不正な好ましくない方向になってしまうような不体裁な状態を惹起することがなく、体裁を恒常的に保つことができる。
【００２４】
請求項５に係る衣服用釦によれば、上記ピン状カシメ部は容易に構成でき、低コスト化ができる。しかも、上記したように中空細管の円錐形部は、当て板に当って潰れ拡がるようにしてあるので、結果として中空細管を短くすることができる。しかも、衣服に対する取付の場合には、上記ピン状カシメ部における加圧部を利用して容易且つ確実に行いうる利点があり、釦取付け工程の段階（上記加圧の段階）で飾り部にキズをつけてしまう事故を回避できる。
【００２５】
また、請求項６に係る衣服用釦によれば、上記留め体は、容易に構成でき、釦全体の低コスト化ができる。
【発明を実施するための最良の形態】
【００２６】
図１〜図４に示す第１実施の形態に係る衣服用釦１１は、所定の向きで取付使用する飾り模様１２を表面に有する中空に構成された金属製の釦主部１３と、当該釦主部１３の裏面中央に連結された角管型の取付脚部材１６と、当該取付脚部材１６を所定の取付個所１７に立ち状態に止着する留め体１８とにより構成され、上記取付脚部材１６の先端面にはピン状カシメ部１９が設けられ、また、留め体１８の内側面の中央には上記ピン状カシメ部１９のカシメ用孔部２０が設けられて成るものである。
【００２７】
上記ピン状カシメ部１９は、先端部に円錐形部２１を有し、基端部に鍔状取付部２２を有する金属製の中空細管２３により構成されている。
【００２８】
また、留め体１８は、中央にカシメ用孔部２０を有し当該カシメ用孔部２０の周囲の外面が凹凸面２４にされた円形の内側金属片２５と、当該内側金属片２５の外側に被着された丸底皿形状の当て板兼外側金属片２６とを重ねると共に当該外側金属片２６の外周縁２７により内側金属片２５をカシメ止めることによって構成されており、カシメ用孔部２０の内側には上記内側金属片２５と当て板兼外側金属片２６とにより囲まれた、上記円錐形部２０が潰れて拡がるための中空室２８が設けられている。
【００２９】
上記の当て板兼外側金属片２６は、外観を美化する機能、円錐形部２０の潰れを可能にする補助機能、中空室２８を形成する機能等を果し、留め体１８の薄型化に貢献している。また、内側金属片２５に設けた凹凸面２４は、カシメ用孔部２０を囲んで補強機能を果すと共に留め体１８の薄型化に貢献している。
【００３０】
さらに、上記釦主部１３に対する角管型の取付脚部材１６の連結は、釦主部１３の裏面中央に角孔１４を設けて当該角孔１４に角型の取付脚部材１６を挿入すると共に当該取付脚部材１６の内端１５を鍔状に拡げて抜けないようにすることにより行われている。よって、釦主部１３の裏面と取付個所１７の外面との間隔は伸縮しうるようにされ且つ釦主部１３は回転せずに揺動しうるようにされている。
【００３１】
また、上記取付脚部材１６の先端面に対するピン状カシメ部１９の取付は、当該取付脚部材１６の先端縁を鍔状に拡げて皿状の加圧部２９を形成し、この加圧部２９の底部に金属製座板３０を収容すると共に同加圧部２９内に上記ピン状カシメ部１９の鍔状取付部２２を嵌め合わせてから当該加圧部２９の開口縁３１を内側に倒すことにより行われている。
【００３２】
上記のように構成された第１実施の形態に係る衣服用釦１１は、これを衣服３２の所定取付個所１７に取り付けるには、先ず図４に示すように、ピン状カシメ部１９を所定の取付個所１７に表側から突き刺して円錐形部２１を衣服の裏側に貫出させ、そして、当該貫出状態の円錐形部２１と上記留め体１８に設けたカシメ用孔部２０とを嵌め合わせた状態にすると共にこの嵌め付け状態において、上記留め体１９の当て板兼外側金属片２６の外面と加圧部２９の外面とに互いに接近する方向への外圧を加えてカシメ用脚部１９の円錐形部２１を中空室２８内で潰し拡げ（図１および図５参照）、よって当該潰し拡げ部分３３がカシメ用孔部２０の切縁部に引っ掛かり止まってピン状カシメ部１９を抜けない状態にすればよい。
【００３３】
したがって、上記第１実施の形態に係る衣服用釦１１は、これを上記のように取付けた状態にあって、たとえば釦主部１３がその表側方向からアイロン掛け等の外力を受けた場合には、取付脚部材１６が釦主部１３内に没した状態すなわち上記距離が縮んだ所謂ヘコミ状態になって取付脚部材１６の変形を回避できる。また、釦主部１３の裏面中央に角孔１４を設けて当該角孔１４に角型の取付脚部材１６を挿入したことにより、釦主部１３に設けられた模様の向きが不正な好ましくない方向になってしまういう不体裁な状態を回避できる。しかも、上記中空細管２３の円錐形部２１は、当て板兼外側金属片２６に当って潰れ拡がるようにしてあるので、結果として当該中空細管２３を取付個所の１７の厚みに見合う短い長さにすることが可能になる。
【００３４】
また、図５及び図６に示す第２実施の形態に係る衣服用釦４１は、方向性が無い小飾体４２を頂面の中央に止着した厚板金属製の釦主部４３と、当該釦主部４３の裏面中央にカシメ止め縁４４を介して止着した浮かし用柱部４５と、当該浮かし用柱部４５の先端に連結された丸管型の取付脚部材４６と、当該取付脚部材４６を所定の取付個所４７に立ち状態に止着する留め体４８とにより構成され、上記取付脚部材４６の先端面にはピン状カシメ部４９が設けられ、また、留め体４８の内側面の中央には上記ピン状カシメ部４９のカシメ用孔部５０が設けられて成るものである。なお、上記取付脚部材４６は、上記浮かし用柱部４５の先端面と後述する加圧部５８の外面との間に衣服６２における釦孔の縁部が挟み入って釦主体４３の首振り機能を阻害することがないようにする等のためにも、できうる限り短くすることが望ましい。
【００３５】
上記ピン状カシメ部４９は、先端部に円錐形部５１を有し、基端部に鍔状取付部５２を有する金属製の中空細管５３により構成されている。
【００３６】
また、留め体４８は、中央にカシメ用孔部５０を有し当該カシメ用孔部５０の周囲の外面が凹凸面５４にされた円形の内側金属片５５と、当該内側金属片５５の外側に被着された丸底皿形状の外側金属片５６とにより構成されており、カシメ用孔部５０の内側には上記内側金属片５５と外側金属片５６により囲まれた、上記円錐形部５１が潰れて拡がるための中空室５７が設けられている。
【００３７】
上記の外側金属片５６は、外観を美化する機能、円錐形部５１の潰れを可能にする補助機能、中空室５７を形成する機能等を果し、留め体４８の薄型化に貢献している。また、内側金属片５５に設けた凹凸面５４は、カシメ用孔部５０を囲んで補強機能を果すと共に留め体４８の薄型化に貢献している。
【００３８】
さらに、上記取付脚部材４６の先端面に対するピン状カシメ部４９の取付は、当該取付脚部材４６の先端縁を鍔状に拡げて皿状の加圧部５８を形成し、この加圧部５８の底部に金属製座板５９を収容すると共に同加圧部５８内に上記ピン状カシメ部４９の鍔状取付部５２を嵌め付けてから当該加圧部５８の開口縁６０を内側に倒すことにより行われている。
【００３９】
また、上記浮かし用柱部４５の先端に対する取付脚部材４６の連結は、浮かし用柱部４５の先端面中央に丸孔６１を設けて当該丸孔６１に取付脚部材４６を揺動および回転自在に挿入すると共に当該取付脚部材４６の内端６２を鍔状に拡げて抜けないようにすることにより行われている。よって、釦主部４３の裏面と取付個所４７の外面との間隔は、伸縮しうるようにされ且つ釦主部４３を浮かし用柱部４５と一体に揺動及び回転しうるようにされている。
【００４０】
上記のように構成された第２実施の形態に係る衣服用釦４１は、これを衣服６２における所定の取付個所４７に取り付けるには、ピン状カシメ部４９を所定の取付個所４７に表側から突き刺して円錐形部５１を衣服の裏側に貫出させ、そして、当該貫出状態の円錐形部５１と上記留め体４８に設けたカシメ用孔部５０とを嵌め合わせた状態にすると共にこの嵌め付け状態において、上記留め体４８の外側金属片５６の外面と加圧部５８の外面とに互いに接近する方向への外圧を加えてカシメ用脚部４９の円錐形部５１を中空室５７内で潰し拡げ（図５参照）、よって当該潰し拡げ部分６３がカシメ用孔部５０の切縁部に引っ掛かり止まってピン状カシメ部４９を抜けない状態にすればよい。
【００４１】
したがって、上記第２実施の形態に係る衣服用釦４１は、これを上記のように取り付けた状態にあって、たとえば釦主部４３がその表側方向からアイロン掛け等の外力を受けた場合には、取付脚部材４６が浮かし用柱部４５内に没した状態すなわち上記距離が縮んだ折り畳み状態になって取付脚部材４６及び浮かし用柱部４５の変形を回避できる。しかも、上記中空細管５３の円錐形部５１は、当て板兼外側金属片５６に当って潰れ拡がるようにしてあるので、結果として当該中空細管５３を取付個所の４７の厚みに見合う短い長さにすることが可能になる。  
【００４２】
上記の両実施例は、上記のとおりであるので、キズを嫌う飾り部をもつ釦を衣服の所定の個所に取り付ける場合には、上記留め体１８、４８の外面と加圧部２９、５８の外面とに互いに接近する方向への外圧を加えてカシメ用脚部１９、４９の円錐形部２１、５１を中空室２８、５７内で潰し拡げればよく、当該取付の段階で飾り部にキズをつけずに行うことができ、ダイヤ等高級飾やガラス飾などの亀裂等キズを嫌う飾り部を釦主体の正面にもつ類の釦の提供には向いているものである。ちなみに、本発明は、ダイヤ等高級飾やガラス飾などの亀裂等キズを嫌う飾り部を有しない釦の場合には、当該釦の正面にキズをつける危惧が寸毫もなく、良品の提供に適している。
【００４３】
なお、本発明を実施するにあたっては、上記釦主部１３の裏面中央に設ける角孔１４と角型の取付脚部材１６との間、及び上記浮かし用柱部４５の先端面中央に設けた丸孔６１と丸型の取付脚部材４６と間には、できうる限り遊びを作らないようにすることが望ましく、上記のヘコミ状態、折り畳み状態を確保する寸法にすることが重要である。
【００４４】
また、上記ピン状カシメ部を形成する中空細管は、無垢の細棒にすることができる。つまり、当該中空細管は、カシメ加工によって先端部（円錐形部相当部）が折れ倒れたり、潰れ拡がったりしてカシメ用孔部の縁に引っ掛かり止って抜けないようになる類のものであれば足りるので、本発明は、上記無垢の細棒以外のものであっても実施できる。
【００４５】
さらに、上記止め体１８、４８は、図には示していないが、当て板兼外側金属片２６、５６の内側には、当該当て板兼外側金属片２６、５６を補強したり、カシメ加工をスムーズにしたりする機能を果す補助部材を装入することは自由である。また、上記飾り模様等飾り部又は小飾り部を有しない釦でも実施ができるは勿論である。
【図面の簡単な説明】
【００４６】
【図１】第１実施の形態に係る衣服用釦を示す断面図である。
【図２】同じく分解断面図である。
【図３】図２A−A線矢視図である。
【図４】取付過程を示す断面図である。
【図５】第２実施の形態に係る衣服用釦を示す断面図である。
【図６】同じく分解断面図である。
【図７】第１従来例を示す断面図である。
【符号の説明】
【００４７】
１  釦主部
２  縫付脚
３  縫糸
４  取付個所
５  衣服用釦
１１  第１実施の形態に係る衣服用釦
１２  飾り模様
１３  釦主部
１４  角孔
１５  内端
１６  取付脚部材
１７  取付個所
１８  留め体
１９  カシメ部
２０  カシメ用孔部
２１  円錐形部
２２  鍔状取付部
２３  中空細管
２４  凹凸面
２５  内側金属片
２６  外側金属片
２７  外周縁
２８  中空室
２９  皿状の加圧部
３０  金属製座板
３１  開口縁
３２  衣服
３３  潰し拡げ部分
４１  第２実施の形態に係る衣服用釦
４２  小飾体
４３  釦主部
４４  カシメ止め縁
４５  浮かし用柱部
４６  取付脚部材
４７  取付個所
４８  留め体
４９  ピン状カシメ部
５０  カシメ用孔部
５１  円錐形部５１
５２  鍔状取付部
５３  中空細管
５４  凹凸面
５５  内側金属片
５６  当て板兼外側金属片
５７  中空室
５８  皿状の加圧部
５９  金属製座板
６０  開口縁
６１  丸孔
６２  衣服
６３  潰し拡げ部分
【図１】
2006346012.tif 000003
【図２】
2006346012.tif 000004
【図３】
2006346012.tif 000005
【図４】
2006346012.tif 000006
【図５】
2006346012.tif 000007
【図６】
2006346012.tif 000008
【図７】
2006346012.tif 000009